(57)【要約】 【課題】  駐車場における利用客の回転率をできるだけ高めることで、駐車場利用者の利用待ち時間を少なくし、周辺道路の混雑を解消し、また同時に、駐車場における経営効率を向上させることを可能にした駐車場管理装置を提供する。 【解決手段】  駐車料金精算機６又はラグタイムリーダ９に、駐車料金の精算時に駐車時間が駐車許容時間内である場合に、残りの時間又は料金に比例したサービス付与データを作成する割引サービス付与データ作成手段１０３と、このデータを使用済み駐車券ＴＸに書き込んで利用客に返却する割引サービス付与処理手段１０４を設ける。 【選択図】  図８ 
2005222190.tif 000002
【特許請求の範囲】
【請求項１】
駐車料金体系が、一定の駐車許容時間内を同一駐車料金とする駐車基本料金と、上記の駐車許容時間を越える分に加算される追加駐車料金とで構成され、車輌の入場時に発行された駐車券を、駐車場の出庫口又は出庫口以外の場所に設置した料金精算機に読み取らせると駐車時間並びに駐車料金が計算され、この計算された駐車料金の精算を済ませると車輌の出庫を許可するように構成された駐車場管理装置であって、 
上記の料金精算機に、 
上記駐車料金精算時に計算された駐車時間が上記駐車許容時間内である場合に、駐車許容時間から駐車時間を差し引いた残りの時間又は残りの駐車料金に比例した割引サービス付与データを作成する割引サービス付与データ作成手段と、 
作成された割引サービス付与データを、精算を済ませた使用済み駐車券又はクレジットカード等の媒体に対して、次回の駐車料金精算時に使用可能な状態に書き込んで利用客に返却する割引サービス付与処理手段と、 
を具備せしめたことを特徴とする駐車場管理装置。 
【請求項２】
駐車料金体系が、一定の駐車許容時間内を同一駐車料金とする駐車料金料金と、上記の駐車許容時間を越える分に加算される追加駐車料金とで構成され、車輌の入場時に発行された駐車券を、駐車場の出庫口以外の場所に設置した料金精算機に読み取らせると駐車時間並びに駐車料金が計算され、この計算された駐車料金の精算を済ませると、上記の駐車券に出庫時刻又は駐車時間と、現在時刻に所定の時間を加算したラグタイムを記録して返却するように構成すると共に、駐車場の出庫口には、上記の駐車券が差し込まれると上記のラグタイムを読み取って、時間内である場合に車輌の出庫を許可するラグタイムリーダを設けて成る駐車場管理装置であって、 
上記のラグタイムリーダに、 
上記料金精算機による駐車料金精算時に計算された駐車時間が上記駐車許容時間内である場合に、駐車許容時間から駐車時間を差し引いた残りの時間又は残りの駐車料金に比例した割引サービス付与データを作成する割引サービス付与データ作成手段と、 
作成された割引サービス付与データを、ラグタイムが読み取られた使用済み駐車券又はクレジットカード等の媒体に対して、次回の駐車料金精算時に使用可能な状態に書き込んで利用客に返却する割引サービス付与処理手段と、 
を具備せしめたことを特徴とする駐車場管理装置。 
【請求項３】
前記駐車料金精算機又はラグタイムリーダに、 
駐車場の混雑が予想される祝祭日や休日、或いは、特別な曜日や時間帯を、割引サービス付与実施日又は実施時間帯としてスケジュール設定する割引サービス付与実施スケジュール設定手段と、   
スケジュール設定に従って該当する割引サービス付与実施日又は実施時間帯になると、前記使用済み駐車券又はクレジットカード等の媒体に対して、次回の駐車料金を割り引く割引サービス付与データ又は優遇割引サービスレベルを割増する割引サービス付与データを書き込んで利用客に返却する割引サービス有効化手段と、 
を具備せしめたことを特徴とする請求項１又は２に記載の駐車場管理装置。 
【請求項４】
前記駐車料金精算機又はラグタイムリーダに、 
駐車場の満車状態を示す信号を入力する満車信号入力手段と、   
満車信号が入力されると、前記使用済み駐車券又はクレジット等の媒体に対して、次回の駐車料金を割り引く割引サービス付与データ又は優遇割引サービスレベルを割増する割引サービス付与データを書き込んで利用客に返却する割引サービス有効化手段と、 
を具備せしめたことを特徴とする請求項１又は２に記載の駐車場管理装置。 
【請求項５】
前記駐車料金精算機又はラグタイムリーダに、 
駐車場の混雑が予想される祝祭日や休日、或いは、特別な曜日や時間帯を割引サービス付与実施日又は実施時間帯としてスケジュール設定する割引サービス付与実施スケジュール設定手段と、 
駐車場の満車状態を示す信号を入力する満車信号入力手段と、 
スケジュール設定に従って該当する割引サービス付与実施日又は実施時間帯になり、且つ、満車信号が入力されると、前記使用済み駐車券又はクレジットカード等の媒体に対して、上記割引サービス付与実施日又は実施時間帯に受けられる割引サービスと、上記満車信号入力時に受けられる割引サービスの双方を合わせて加味した特別割引サービス付与データを書き込んで利用客に返却する特別割引サービス有効化手段と、 
を具備せしめたことを特徴とする請求項１又は２に記載の駐車場管理装置。 
【請求項６】
前記駐車料金精算機又はラグタイムリーダに、割引サービス付与データが書き込まれた使用済み駐車券又はクレジットカード等の媒体を利用できない日、曜日、或いは時間帯、又は、前記割引サービス付与データに基づいて割引サービスの増加を可能にする優遇割引サービスの実施条件が記録された割引サービス実施条件テーブルが具備されていることを特徴とする請求項１、２、３、４又は５に記載の駐車場管理装置。   
【発明の詳細な説明】
【技術分野】
【０００１】
本発明は、駐車料金を割引くことにより、駐車場の利用回転率を高めることを可能にした駐車場管理装置に関するものである。 
【背景技術】
【０００２】
駐車料金を割引く機能を備えた駐車場管理装置に付いては、従来より特許文献１に記載のものが存在する。特許文献１には、入庫時に受け取った駐車券を差し込むと、駐車時間と駐車料金を算出するように構成した自動料金精算機に、駐車料金の精算を済ませた使用済み駐車券に割引内容と出庫日時とを書き込んで利用客に返却し、次の駐車料金精算時にこの使用済み駐車券が差し込まれると、駐車料金の割引を行う駐車料金割引機能を具備させた駐車場管理装置に関する記載がある。 
【０００３】
上記の駐車料金割引機能を備えた駐車場管理装置によれば、自動料金精算機から返却された使用済みの駐車券に対して、今回の駐車時間や駐車料金によって決められた割引額が記載され、次の駐車料金精算時に今回の駐車券を一緒に自動料金精算機に差し込んで精算すれば、駐車料金又は駐車時間を割り引くことができるものであるから、駐車場を利用した顧客に対して駐車場の再利用を促すサービスを行うことができる。 
【特許文献１】特開平１１−１９５１５４号公報
【発明の開示】
【発明が解決しようとする課題】
【０００４】
しかしながら、駐車場における駐車料金体系は、通常の場合、一定の駐車許容時間内を同一駐車料金とする駐車基本料金と、一定の駐車許容時間を越える分に単位時間毎の料金が加算される追加駐車料金とで構成されるものであるから、利用者は、どうしても同一料金で利用できる最大許容時間ギリギリまで駐車を行うことが多かった。また、上記の駐車場管理装置の如く、駐車時間や駐車料金によって割引額を決めるもので有れば、駐車時間が多ければ多いほどより多くの割引を受けることができるため、駐車時間が必然的に長くなってしまう傾向があって、これが駐車場の混雑を招く原因になっていた。 
【０００５】
そこで本発明の技術的課題は、駐車場における利用客の回転率をできるだけ高めることで、駐車場利用者の利用待ち時間を少なくし、周辺道路の混雑を解消し、また同時に、駐車場における経営効率を向上させることを可能にした駐車場管理装置を提供することである。 
【課題を解決するための手段】
【０００６】
（１）  上記の技術的課題を解決するために、本発明の請求項１に記載の駐車場管理装置は、駐車料金体系が、一定の駐車許容時間内を同一駐車料金とする駐車基本料金と、上記の駐車許容時間を越える分に加算される追加駐車料金とで構成され、車輌の入場時に発行された駐車券を、駐車場の出庫口又は出庫口以外の場所に設置した料金精算機に読み取らせると駐車時間並びに駐車料金が計算され、この計算された駐車料金の精算を済ませると車輌の出庫を許可するように構成された駐車場管理装置であって、上記の料金精算機に、上記駐車料金精算時に計算された駐車時間が上記駐車許容時間内である場合に、駐車許容時間から駐車時間を差し引いた残りの時間又は残りの駐車料金に比例した割引サービス付与データを作成する割引サービス付与データ作成手段と、作成された割引サービス付与データを、精算を済ませた使用済み駐車券又はクレジットカード等の媒体に対して、次回の駐車料金精算時に使用可能な状態に書き込んで利用客に返却する割引サービス付与処理手段と、を具備せしめたことを特徴としている。 
【０００７】
（２）  また、本発明の請求項２に記載の駐車場管理装置は、駐車料金体系が、一定の駐車許容時間内を同一駐車料金とする駐車料金料金と、上記の駐車許容時間を越える分に加算される追加駐車料金とで構成され、車輌の入場時に発行された駐車券を、駐車場の出庫口以外の場所に設置した料金精算機に読み取らせると駐車時間並びに駐車料金が計算され、この計算された駐車料金の精算を済ませると、上記の駐車券に出庫時刻又は駐車時間と、現在時刻に所定の時間を加算したラグタイムを記録して返却するように構成すると共に、駐車場の出庫口には、上記の駐車券が差し込まれると上記のラグタイムを読み取って、時間内である場合に車輌の出庫を許可するラグタイムリーダを設けて成る駐車場管理装置であって、上記のラグタイムリーダに、上記料金精算機による駐車料金精算時に計算された駐車時間が上記駐車許容時間内である場合に、駐車許容時間から駐車時間を差し引いた残りの時間又は残りの駐車料金に比例した割引サービス付与データを作成する割引サービス付与データ作成手段と、作成された割引サービス付与データを、ラグタイムが読み取られた使用済み駐車券又はクレジットカード等の媒体に対して、次回の駐車料金精算時に使用可能な状態に書き込んで利用客に返却する割引サービス付与処理手段と、を具備せしめたことを特徴としている。 
【０００８】
（３）  また、本発明の請求項３に記載の駐車場管理装置は、前記駐車料金精算機又はラグタイムリーダに、駐車場の混雑が予想される祝祭日や休日、或いは、特別な曜日や時間帯を、割引サービス付与実施日又は実施時間帯としてスケジュール設定する割引サービス付与実施スケジュール設定手段と、スケジュール設定に従って該当する割引サービス付与実施日又は実施時間帯になると、前記使用済み駐車券又はクレジットカード等の媒体に対して、次回の駐車料金を割り引く割引サービス付与データ又は優遇割引サービスレベルを割増する割引サービス付与データを書き込んで利用客に返却する割引サービス有効化手段と、を具備せしめたことを特徴としている。 
【０００９】
（４）  また、本発明の請求項４に記載の駐車場管理装置は、前記駐車料金精算機又はラグタイムリーダに、駐車場の満車状態を示す信号を入力する満車信号入力手段と、満車信号が入力されると、前記使用済み駐車券又はクレジット等の媒体に対して、次回の駐車料金を割り引く割引サービス付与データ又は優遇割引サービスレベルを割増する割引サービス付与データを書き込んで利用客に返却する割引サービス有効化手段と、を具備せしめたことを特徴としている。 
【００１０】
（５）  また、本発明の請求項５に記載の駐車場管理装置は、前記駐車料金精算機又はラグタイムリーダに、駐車場の混雑が予想される祝祭日や休日、或いは、特別な曜日や時間帯を割引サービス付与実施日又は実施時間帯としてスケジュール設定する割引サービス付与実施スケジュール設定手段と、駐車場の満車状態を示す信号を入力する満車信号入力手段と、スケジュール設定に従って該当する割引サービス付与実施日又は実施時間帯になり、且つ、満車信号が入力されると、前記使用済み駐車券又はクレジットカード等の媒体に対して、上記割引サービス付与実施日又は実施時間帯に受けられる割引サービスと、上記満車信号入力時に受けられる割引サービスの双方を合わせて加味した特別割引サービス付与データを書き込んで利用客に返却する特別割引サービス有効化手段と、を具備せしめたことを特徴としている。 
【００１１】
（６）  更に、本発明の請求項６に記載の駐車場管理装置は、前記駐車料金精算機又はラグタイムリーダに、割引サービス付与データが書き込まれた使用済み駐車券又はクレジットカード等の媒体を利用できない日、曜日、或いは時間帯、又は、前記割引サービス付与データに基づいて割引サービスの増加を可能にする優遇割引サービスの実施条件が記録された割引サービス実施条件テーブルが具備されていることを特徴としている。 
【００１２】
上記（１）で述べた請求項１に係る手段によれば、駐車料金精算時に精算された駐車時間が駐車許容時間内で有れば、駐車許容時間から駐車時間を差し引いた残り駐車許容時間、又は、残り駐車料金の大きさに比例した割引サービス付与データ（サービス時間又はサービス料金、又は、利用日や時間帯といった利用条件を加えても良い）を、駐車券又は媒体に記録して利用者に返却するように構成したから、利用者は、同一料金で利用できる最大許容時間まで駐車を行うことなく、できるだけ早く、つまり、残り駐車許容時間をできるだけ多く残して駐車場を出場しようとする傾向になる。その結果、駐車場の回転率が向上し、駐車待ち時間が減少し、駐車場の経営効率も向上することが可能になる。 
【００１３】
上記（２）で述べた請求項２に係る手段によれば、セントラルペイ方式の駐車場システムにおいて、上記（１）で述べたのと同じ割引サービスを実現して、駐車場の回転率の向上と、駐車待ち時間の減少と、駐車場の経営効率の向上を図ることができる。 
【００１４】
上記（３）で述べた請求項３に係る手段によれば、料金精算機又はラグタイムリーダが、予め混雑が予想される祝祭日や休日、又は、特別な曜日や時間帯を、優遇割引サービス付与実施日としてスケジュール設定を行うことを可能にしたから、該当する日時、並びに時間帯になると優遇割引サービス付与処理を可能とし、又は、優遇割引サービスレベルの割増し処理を可能にして、利用客に早目の出庫を促すため、混雑時における駐車場の回転率を向上させることができる。 
【００１５】
上記（４）で述べた請求項４に係る手段によれば、駐車料金精算機又はラグタイムリーダが、駐車場の満車状態を示す信号を入力する満車信号入力手段を設け、満車信号入力を検知すると、優遇割引サービス付与処理手段を有効化し、又は、優遇割引サービス付与レベルを割増しする、割引サービス付与有効化手段を備えているため、駐車場が混雑している時における駐車場の回転率をより向上させることを可能にする。 
【００１６】
上記（５）で述べた請求項５に係る手段によれば、駐車料金精算機又はラグタイムリーダが、予め混雑が予想される祝祭日や休日、又は特別な曜日や時間帯を優遇割引サービス付与実施日としてスケジュール設定を行う割引サービス付与実施スケジュール設定手段と、駐車場の満車状態を示す信号を入力する満車信号入力手段を備え、更に、優遇割引サービス付与実施日、或いは、当該時間帯になり、且つ、満車信号入力を検知すると、優遇割引サービスと満車時における割引サービスの双方を併せて加味したサービスを行う特別割引サービス付与処理有効化手段を備えているため、最も混雑する時の駐車場の回転率を最大限に高めることを可能にする。 
【００１７】
上記（６）で述べた請求項６に係る手段によれば、駐車料金精算機又はラグタイムリーダが、割引サービス付与データが書き込まれた使用済み駐車券、又は、クレジットカード等の媒体の利用ができない日や曜日、或いは、時間帯、又は、上記付与データに基づく割引サービスの更なる増加を可能にする優遇割引サービスの実施条件を記録した割引サービス実施条件テーブルを備えているため、駐車場が空き気味の日や時間帯には、通常の割引より多くの割引を加算することや、逆に混雑する特定な日には、サービスの付与された駐車券又は媒体が使用できないようにする等の設定が可能になり、駐車場の利用を均等にすることを可能にする。 
【発明の効果】
【００１８】
以上述べた次第で、本発明に係る駐車場管理装置によれば、利用客は、駐車場が混雑している場合に、駐車料金の優遇割引によって、早めに駐車を済ませて車輌を出庫させる傾向になり、また、早めに駐車を済ませて出庫したとしても、再び他の日や、他の時間帯に、割安な条件で駐車を行うことができると言ったメリットがあるため、更に、車輌を早く出庫させる傾向を高めて、駐車場の回転率の向上と、駐車待ち時間の減少化、及び、駐車場の経営効率の向上を図ることができるものであって、駐車場の利用を短時間で済ませることができる利用客に対して、より多くのサービスを還元できる利点を備えている。 
【発明を実施するための最良の形態】
【００１９】
以下に、上述した本発明に係る駐車場管理装置の実施の形態を図面と共に説明すると、図１は本発明が実施されている駐車場管理装置の全体を示した構成図であって、図中、ＰＫは有料駐車場、ＰＮとＰＴはその入庫口と出庫口で、入庫口ＰＮには駐車券ＴＸの発券機１と、入庫して来る車両の車種（大型、小型等）を識別する車種識別器２と、入口ゲート３Ｇを開閉作動する入口ゲート開閉機３が設けられていて、入庫通路上に設けた入庫車両検知センサ４が入庫車両を検出すると、図４の（イ）に示すように駐車場コードＴａと、カードナンバーＴｂと、車種識別器２が識別した車種Ｔｃと、入庫の日付Ｔｄ及び時刻Ｔｅから成る入庫データを印刷し、且つ、これ等の入庫データを磁気ストライプＭＳに書込んだ駐車券ＴＸを、発券機１が発券するように構成されている。 
【００２０】
そして、利用客が上記の駐車券ＴＸを発券口から抜き取ると、入口ゲート開閉機３が入口ゲート３Ｇを開いて車両の入庫を可能とし、次いで駐車場ＰＫ内に入庫する車両を入庫通路の内側に設けた入口ゲート開閉センサ５が検知すると、上記の入口ゲート開閉機３が入口ゲート３Ｇを閉じて車両の入庫を完了する仕組に成っている。尚、駐車券ＴＸは、上記の磁気式に限るものではなく、非接触式ＩＣカードやタグと言ったものも含み、又、駐車カードに替えてクレジットカード等のメモリを有する媒体であって、入庫や出庫の時刻や、各種割引情報を記録できるものであってもよい。 
【００２１】
また、６は上記駐車場ＰＫの出庫口ＰＴに設置した駐車料金精算機で、この精算機６には、出庫に際してこの精算機６に入庫時に受け取った駐車券ＴＸを差込むと、駐車券ＴＸに記録されている入庫データを読取る読取り機能と、現在時刻との時間差から駐車時間とその料金を算出する料金算出機能と、利用客がこの算出された駐車料金の精算（現金又はカード等による支払）を済ませると、出口ゲート開閉機７が出口ゲート７Ｇを開いて車両の出庫を可能と成す駐車料金精算機能と、次いで、出庫通路上に設けた出口ゲート開閉センサ８が出庫車両を検出すると、上記の出口ゲート開閉機７が出口ゲート７Ｇを閉じて車両の出庫を可能にする出庫機能が具備されていて、本発明では駐車料金を精算する料金体系が、一定の駐車許容時間内を同一駐車料金とする駐車基本料金と、上記の駐車許容時間を越える分に加算される追加駐車料金とで構成されている。 
【００２２】
また、上記の駐車料金精算機６には、上述した各機能に加えて、料金精算を終えた使用済み駐車券ＴＸに図４の（イ）に示すような出庫の日付と時刻Ｔｈを印字し、且つ、この出庫時刻データを磁気ストライプＭＳに記録して利用客に返却する駐車券返却手段１０２（図８）と、次に駐車場ＰＫを利用して駐車料金を精算する時に、今回の駐車券ＴＸに加えて上記の使用済み駐車券ＴＸの差込みを受けると、この使用済み駐車券ＴＸに書き込まれている割引サービス付与データ（詳細は後述する）を読み取って、予め設定されている割引サービス付与テーブルに従って、駐車料金又は駐車時間を割引くことを可能にする割引サービス付与データ読取手段１０１（図８）が具備されていて、駐車料金の精算時に前回受け取った使用済み駐車券ＴＸを用いるだけで、駐車料金が割引かれて計算される仕組に成っている。 
【００２３】
図３は、上述した駐車料金精算機６の電気的構成を説明したブロック図であって、１０は制御部の中心を構成するＣＰＵ、１１は上述した駐車券返却手段１０２及び割引サービス付与データ読取手段１０１や、使用済み駐車券ＴＸに対して割引サービス付与データを書き込むための手段を含む各種のシステムプログラムを格納したメモリで、これ等ＣＰＵ１０とメモリ１１との間にバス１２を介して接続したインターフエイス回路１３には、駐車券検知器１４と、駐車券搬送用のモータ１５と、駐車券ＴＸの磁気ストライプＭＳに磁気ヘッド（図示せず）を用いて入庫データや出庫データを書き込んだり、これ等のデータを読取ったりする駐車券読取書込装置１６が接続されている。 
【００２４】
更に上記の駐車券読取書込装置１６には、使用済み駐車券ＴＸの磁気ストライプＭＳに対して割引サービス付与データを書き込んだり、前回返却した使用済み駐車券ＴＸ（出庫データの有無によって前回の駐車券か今回の駐車券であるかを判断する）の磁気ストライプＭＳに書き込まれている割引サービス付与データを読み取る前回駐車券読取書込機能が具備されている。 
【００２５】
加えて上記のインターフエイス回路１３には、駐車券ＴＸに入庫と出庫のデータを印字したり、使用済み駐車券ＴＸに対して割引サービス付与データと成る割引金額Ｔｆや割引時間数Ｔｇを図４の（ロ）、（ハ）に示す如く印字するプリンタ１８と、これ等割引料金Ｔｆや割引時間Ｔｇを始めとする各種データ用のプログラムを設定入力するための入力装置１９（例えばテンキー）と、時刻やメッセージ及び算出した駐車料金等を表示する表示器２０と、基準時計用の時計回路２１が接続されている。 
【００２６】
更に加えて、上記のインターフエイス回路１３には駐車料金の精算を現金で行う場合に用いる現金精算装置２２と、同じくプリペイドカードで精算する場合に用いるプリペイドカード精算装置２３と、釣銭支払装置２４と、割引のために再利用された使用済み駐車券ＴＸを廃券処理するための廃券処理装置２５と、前述した出口ゲート開閉機７及び出口ゲート開閉センサ８が接続されていて、夫々がＣＰＵ１０の監視下でメモリ１１に格納されているプログラムに従って制御作動される仕組に成っている。 
【００２７】
図２は、本発明が実施されたセントラルペイ方式の駐車場管理装置の構成を示したものであって、この方式では出庫口ＰＴの混雑を緩和するために、図３のブロック図に示した構造の駐車料金精算機６を出庫口ＰＴから離れた駐車場ＰＫの内部、或は、その外部に設置し、且つ、同じく図３に示した駐車券読取書込装置１６に、精算を終えて利用客に返却する駐車券ＴＸの磁気ストライプＭＳに対して、現在時刻に予め決められた猶予時間を加算したラグタイム（出庫許可時間）を記録するラグタイム記録手段を具備せしめると共に、出庫口ＰＴにラグタイムリーダ９を設置して、差込まれた駐車券ＴＸに記録されているラグタイムを読取り、これが時間内である場合は出口ゲート７Ｇを開いて車両の出庫を許可するように構成している。 
【００２８】
また、上記のラグタイムリーダ９には、ラグタイムの読取りを終えた使用済み駐車券ＴＸを再び利用客に送り戻して次回の割引に利用させる駐車券返却手段が具備され、更に、必要に応じて、返却する使用済み駐車券ＴＸに対して図４の（ロ）に示すように割引金額Ｔｆを記録したり、図４の（ハ）に示すように割引時間数Ｔｇを記録するための割引データ書込み用の装置類が具備されている。 
【００２９】
即ち、図２に示したセントラスペイ方式の駐車場管理装置において、駐車料金精算機６が図３に示したブロック図の如く割引データ書込み用の装置類を具備した構成である場合には、ラグタイムリーダ９に割引データを書込むための装置類を設ける必要はないが、駐車料金精算機６にこの割引データ書込み手段が具備されていない場合は、図３のブロック図に示した機器や、データ書込み用の手段（ソフトウエアー）から成る装置類がラグタイムリーダ９に具備させることになる。 
【００３０】
次に、上記駐車料金精算機６又はラグタイムリーダ９に具備させる割引データ書込み手段（ソフトウエアー）の構成を、図８に示したブロック図を参照しながら説明する。 
【００３１】
具体的には、駐車料金精算機６又はラグタイムリーダ９のメモリ１１には、請求項１及び２に記載の如く、 
駐車料金精算時に計算された駐車時間が駐車許容時間内である場合に、メモリ１１に設定されている割引サービス付与テーブルに従って、駐車許容時間から駐車時間を差し引いた残りの時間又は残りの駐車料金に比例した割引サービス付与データ（図４の（ロ）或いは（ハ）に示す割引金額Ｔｆや割引時間Ｔｇ）を作成する割引サービス付与データ作成手段１０３と、作成された割引サービス付与データＴｆ又はＴｇを、精算又はラグタイムの読み取りを済ませた使用済み駐車券ＴＸ又はクレジットカード等の媒体に対して、次回の駐車料金精算時に使用可能な状態に書き込んで利用客に返却する割引サービス付与処理手段１０４と、を実現するためのソフトウエアーが格納されている。 
【００３２】
更に上記駐車料金精算機６又はラグタイムリーダ９のメモリ１１には、請求項３に記載の如く、 
駐車場の混雑が予想される祝祭日や休日、或いは、特別な曜日や時間帯を割引サービス付与実施日又は実施時間帯としてスケジュール設定する割引サービス付与実施スケジュール設定手段１０５と、スケジュール設定に従って該当する割引サービス付与実施日又は実施時間帯になると、前記使用済み駐車券ＴＸ又はクレジットカード等の媒体に対して、次回の駐車料金を割り引く割引サービス付与データＴｆ，Ｔｇ又は優遇割引サービスレベルを割増する割引サービス付与データＴｆ，Ｔｇを書き込んで利用客に返却する割引サービス有効化手段１０７と、を実現するためのソフトウエアーが格納されている。 
【００３３】
更に、上記の駐車料金精算機６又はラグタイムリーダ９のメモリ１１には、請求項４に記載の如く、 
駐車場の満車状態を示す信号を入力する満車信号入力手段１０６と、満車信号が入力されると、前記使用済み駐車券ＴＸ又はクレジット等の媒体に対して、次回の駐車料金を割り引く割引サービス付与データＴｆ，Ｔｇ、又は、優遇割引サービスレベルを割増する割引サービス付与データＴｆ，Ｔｇを書き込んで利用客に返却する割引サービス有効化手段１０７と、を実現するためのソフトウエアーが格納されている。 
【００３４】
更に、上記の駐車料金精算機６又はラグタイムリーダ９のメモリ１１には、請求項５に記載の如く、 
駐車場の混雑が予想される祝祭日や休日、或いは、特別な曜日や時間帯を割引サービス付与実施日又は実施時間帯としてスケジュール設定する割引サービス付与実施スケジュール設定手段１０５と、駐車場の満車状態を示す信号を入力する満車信号入力手段１０６と、スケジュール設定に従って該当する割引サービス付与実施日又は実施時間帯になり、且つ、満車信号が入力されると、前記使用済み駐車券ＴＸ又はクレジットカード等の媒体に対して、上記割引サービス付与実施日又は実施時間帯に受けられる割引サービスと、上記満車信号入力時に受けられる割引サービスの双方を合わせて加味した特別割引サービス付与データＴｆ，Ｔｇを書き込んで利用客に返却する特別割引サービス有効化手段１０８と、を実現するためのソフトウエアーが格納されている。 
【００３５】
また、駐車料金精算機６又はラグタイムリーダ９のメモリ１１には、請求項６に記載の如く、 
割引サービス付与データＴｆ，Ｔｇが書き込まれた使用済み駐車券ＴＸ又はクレジットカード等の媒体を利用できない日、曜日、或いは時間帯、又は、前記割引サービス付与データＴｆ，Ｔｇに基づいて割引サービスの増加を可能にする優遇割引サービスの実施条件が記録された割引サービス実施条件テーブル１０９が具備されている。 
【００３６】
図５は、割引サービス付与データを参照して還元される割引サービスの例を示した説明図であって、駐車料金精算時に精算された駐車時間が予め駐車料金体系で定めた駐車許容時間内であれば、駐車許容時間から駐車時間を差し引いた残り駐車許容時間又は残り駐車料金の大きさに比例して、例えば、６０分の許容時間に対して１０分の利用時間で有れば、その還元されるサービス３０分を割引サービス付与データＴｆ，Ｔｇとして駐車券ＴＸ又は媒体に記録し、利用者に返却することになる。従って残り時間が多ければ多いほど多くのサービスが還元される結果になる。また、満車信号を検知すれば、更に割増サービスが加算されて利用者に還元されることになる。 
【００３７】
尚、図３に示した駐車券読取書込装置１６とプリンタ１８を用いて、駐車券ＴＸに割引金額Ｔｆと割引時間数Ｔｇを書込む方法には、図４の（ロ）と（ハ）に示すように割引金額Ｔｆと割引時間数を直接書込む方法と、これ等をコード化して書込む方法とがあるが、その選択は任意とする。 
【００３８】
また、駐車料金の割引の内容には、前述したサービス方法に加えて、例えば、車種によって区別する方法、今回の駐車料金（駐車時間数）によって次回の割引額を決める方法、支払らわれる駐車料金のうち現金の占める割合によって割引き率を決める方法、或は、テナント店コードによるテナント店独自の割引きを行う方法等がある。 
【００３９】
次に、本発明の処理動作を図示したフローチヤートに従って説明すると、図６に示したステップＳ１〜Ｓ７は車両を駐車場ＰＫに入庫する場合の手順を説明したフローチャートであり、また、図７に示したステップＳ８〜Ｓ２１は、割引きデータが一切書込まれていない図４の（イ）に示したような駐車券ＴＸと、図４の（ロ）或は（ハ）に示すように割引データＴｆ，Ｔｇが書込まれた駐車券ＴＸを用いて、割引データＴｆ，Ｔｇに基づいた駐車料金の割引きサービスを実行する場合の手順を説明したフローチャートである。 
【００４０】
本発明によれば、駐車場を始めて利用する場合は、割引情報（割引データが記載された前回の駐車券）は無く、従って通常料金を精算することになるが、精算が完了し使用済みとなった駐車券ＴＸ又は媒体には、割引サービス付与テーブルを参照して算出された割引データＴｆ，Ｔｇが付与されて返却されることになる。 
【００４１】
また、前回既にサービスを受けている利用者は、今回の精算時に、前回受け取ったサービスが記載された駐車券ＴＸないしは媒体を駐車料金精算機６に読ませて、所定の割引サービスを受けることができる。尚、上記付与されたサービスを実施する場合は、料金精算機６に設けられた割引サービス実施条件テーブル１０９を参照して割引を行うことができる。 
【００４２】
ここで、前述した割引サービス付与テーブルと、割引サービス実施条件テーブル１０９との違いを明らかにすれば、前者は、駐車場を利用して出庫する時に付与される割引データを決める為のテーブルであって、混雑が予想される日や、曜日、時間帯、又は満車状態を示す満車信号が出されている場合に、駐車を短めに出庫した利用者に対して厚くサービスを還元するものであり、駐車場の駐車をできるだけ回転させることを主旨として適用されるものである。これに対して後者は、前回受けた割引サービスを実施する場合に適用されるものであり、割引サービス付与データＴｆ，Ｔｇが書き込まれた使用済み駐車券ＴＸ、又は、クレジットカード等の媒体の利用ができない日や曜日、或いは時間帯、又は、上記付与データに基づく割引サービスの更なる増加を可能にする優遇割引サービスの実施条件を記録したものであり、駐車場が空き気味の日や、時間帯には通常の割引より多くの割引を加算して駐車場の利用客をできるだけ多くする目的があり、逆に混雑する特定な日には、サービスの付与された駐車券又は媒体が使用できないようにする等の設定が可能になり、そのことにより、駐車場の利用を平準化することを可能にする。 
【図面の簡単な説明】
【００４３】
【図１】本発明に係る駐車場管理装置の全体を説明した構成図である。
【図２】本発明が実施されたセントラルペイ方式の駐車場の全体を説明した構成図である。
【図３】本発明で用いる駐車料金精算機の電気的構成を説明したブロック図である。
【図４】（イ）、（ロ）、（ハ）はいずれも本発明で使用する駐車券の正面図である。
【図５】本発明における短時間利用による還元例を説明した説明図である。
【図６】本発明による入庫の処理手順を説明したフローチャートである。
【図７】書き込まれた割引データに基づいて駐車料金のサービスを行う場合の処理手順を説明したフローチャートである。
【図８】本発明の全体構成を説明したブロック図である。
【符号の説明】
【００４４】
ＰＫ              駐車場 
ＰＮ              入庫口 
ＰＴ              出庫口 
ＴＸ              駐車券 
ＭＳ              磁気ストライプ 
Ｔｄ              入庫日 
Ｔｅ              入庫時刻 
Ｔｆ，Ｔｇ        割引サービス付与データ 
Ｔｈ              出庫日時 
１                発券機 
３                入口ゲート開閉機 
６                駐車料金精算機 
７                出口ゲート開閉機 
９                ラグタイムリーダ 
１０              ＣＰＵ 
１１              メモリ 
１６              駐車券読取書込装置 
１８              プリンタ 
１０１            割引サービス付与データ読取手段 
１０２            駐車券返却手段 
１０３            割引サービス付与データ作成手段 
１０４            割引サービス付与処理手段 
１０５            割引サービス付与実施スケジュール設定手段 
１０６            満車信号入力手段 
１０７            割引サービス有効化手段 
１０８            特別割引サービス有効化手段 
１０９            割引サービス実施条件テーブル 
【図１】
2005222190.tif 000003
【図２】
2005222190.tif 000004
【図３】
2005222190.tif 000005
【図４】
2005222190.tif 000006
【図５】
2005222190.tif 000007
【図６】
2005222190.tif 000008
【図７】
2005222190.tif 000009
【図８】
2005222190.tif 000010